(57)【要約】【課題】駆動時におけるテープリールの傾きを防止すると共に製造効率を向上すると共に製造効率を向上する。【解決手段】リール本体およびリール本体から両端部が突出するハブをそれぞれ有する一対のテープリール２と、一対の主板でハブの両端部を支持した状態で両テープリール２を回転可能に収容するケース本体３と、一対の挿通孔５１にハブの端部をそれぞれ挿入させた状態でケース本体３内に配設された一対のシート５ａ，５ｂとを備え、シート５ｂと一方の主板との間には、挿通孔が形成されて挿通孔にハブの端部を挿入させた状態でシート５ｂを介して両リール本体の端部を押圧する一対の板状のばね部材６が配設され、ばね部材６は、一方の主板に形成された環状の突起部の外周部に嵌め合わされることによって主板に固定可能に構成されている。【選択図】図１
2008186492.tif 000002
【特許請求の範囲】
【請求項１】
周囲に磁気テープが巻回される筒状のリール本体および当該リール本体からその両端部が突出するようにして当該リール本体の中心部に配設された筒状のハブをそれぞれ有する一対のテープリールと、互いに対向する一対の主板で前記ハブの両端部を支持した状態で前記両テープリールを回転可能に収容するケース本体と、一対の挿通孔が形成されて当該挿通孔に前記両ハブの各端部をそれぞれ挿入させた状態で前記リール本体の両端部を挟み込むようにして前記ケース本体内に配設された一対のシート体とを備え、
前記テープリールを駆動する駆動軸の挿入側とは逆側の位置に配設された前記シート体と一方の前記主板との間には、挿通孔が形成されて当該挿通孔に前記ハブの前記端部を挿入させた状態で当該シート体を介して前記両リール本体の前記端部を押圧する一対の板状の押圧部材が配設され、
前記押圧部材は、前記一方の主板に形成されて前記ハブの前記端部を位置決めする環状の突起部の外周部に嵌め合わされることによって当該主板に固定可能に構成されている情報媒体。
【請求項２】
前記押圧部材は、前記突起部の外周部に嵌め合わされる固定用の爪部を備えて構成されている請求項１記載の情報媒体。
【請求項３】
前記押圧部材は、前記爪部を３つ備えて構成されている請求項２記載の情報媒体。
【請求項４】
前記押圧部材は、前記リール本体の前記端部における３箇所の部位を前記シート体を介して押圧可能な３つの凸部を備えて構成されている請求項１から３のいずれかに記載の情報媒体。
【発明の詳細な説明】
【技術分野】
【０００１】
本発明は、磁気テープを巻回する一対のテープリールと、両テープリールを回転可能に収容するケース本体とを備えた情報媒体に関するものである。
【背景技術】
【０００２】
この種の情報媒体として、特開２０００−１３７９７１号公報に開示されたテープカートリッジが知られている。このテープカートリッジは、磁気テープを巻装した一対のリールと、上ハーフおよび下ハーフで構成されたシェルと、両リールを挟むようにしてシェル内に配置されたアッパーシートおよびロアシートとを備えている。この場合、リールは、円筒状の内筒部と、内筒部の外周側に連設された外筒部とを備え、内筒部の上端部および下端部が外筒部の上端部および下端部からそれぞれ突出するように構成されて、内筒部の下端部がシェルにおける下ハーフのリール受部に遊嵌されることによってシェル内に回転可能に収容されている。また、リールにおける内筒部の内周面には、記録再生装置の駆動軸（スピンドル）が挿入されたときに駆動軸に係合する凸部が設けられている。
【特許文献１】特開２０００−１３７９７１号公報（第３−５頁、第１、５図）
【発明の開示】
【発明が解決しようとする課題】
【０００３】
ところが、上記のテープカートリッジには、解決すべき以下の課題がある。すなわち、上記のテープカートリッジを含むこの種のテープカートリッジは、記録再生装置の駆動軸をリールの内筒部内にスムーズに挿入させるために、内筒部の内周面と駆動軸との間に隙間が生じるように構成されている。また、この種のテープカートリッジは、リールを円滑に回転させるために、シェルと内筒部との間、およびシェルと外筒部の間にも隙間が生じるように構成されている。一方、この種のテープカートリッジ（例えば、図１４に示すテープカートリッジ２０１）用の記録再生装置には、同図に示すように、一般的に、駆動軸１０１の先端部が内筒部の長さの半分程度の位置まで挿入された状態でリールが駆動されるように構成されているものもある。また、この記録再生装置では、図１５に示すように、複数のガイドローラ１０３やガイドピン１０４によって回転ヘッド１０２の外周面に磁気テープＴを接触させてデータの記録再生を行うヘリカルスキャン方式が採用されているため、駆動時において磁気テープＴに対してテンションが加えられる。
【０００４】
近年、記録容量を増大させるためにテープ幅を２倍程度に拡張したテープカートリッジ（例えば、図１６に示すテープカートリッジ２０２）が考案されており、このテープカートリッジを上記した記録再生装置で駆動させたときには、同図に示すように、駆動軸１０１が挿入されていない部分が長くなる。また、テープ幅を拡張したこのテープカートリッジ２０２では、テープ幅の狭いテープカートリッジと比較して、テープ幅が広い分、回転ヘッド１０２に接触させる距離を長くする必要があるため（図１０参照）、磁気テープＴに加えられるテンションも大きくなる。このため、駆動軸１０１が挿入されていない内筒部の上側の部分に対して磁気テープＴに加わっているテンションによって作用するモーメントも、テープ幅の拡張に伴って大きくなる。この結果、テープ幅が狭いときには問題とならない程度に僅かであったこのモーメントおよび上記の隙間に起因するリールの傾きが、テープ幅の拡張に伴って大きくなるおそれがある。したがって、この種のテープカートリッジには、大きく傾いた状態でリールが回転することによってテープが蛇行したり偏って走行したりして、データの記録再生に支障を来すおそれがある。また、テープが蛇行したり偏って走行したりすることにより、テープのエッジ（幅方向の端部）がアッパーシートやロアシートに強く擦りつけられてテープがダメージを受けるおそれもある。
【０００５】
この問題点を解決可能な手段として、発明者は、アッパーシートを介してリールを押圧する押圧部材を上ハーフの主板（天板）とアッパーシートとの間に配設して、リールの傾きを防止するテープカートリッジを既に開発している。この場合、このテープカートリッジでは、組立ての際に押圧部材が外れるのを回避するために、溶着機を用いてテープカートリッジに押圧部材をかしめて固定する構成が採用されている。しかしながら、この構成では、押圧部材の固定作業が煩雑なため製造効率が低下して製造コストの高騰を招くおそれがあり、この点の改善が望まれている。また、押圧部材をかしめて固定したときには、弾性変形がやや妨げられて押圧部材が有する押圧機能がやや低下することがあり、この点の改善も望まれている。
【０００６】
本発明は、かかる課題を解決すべくなされたものであり、駆動時におけるテープリールの傾きを防止すると共に製造効率を向上し得る情報媒体を提供することを主目的とする。
【課題を解決するための手段】
【０００７】
上記目的を達成すべく本発明に係る情報媒体は、周囲に磁気テープが巻回される筒状のリール本体および当該リール本体からその両端部が突出するようにして当該リール本体の中心部に配設された筒状のハブをそれぞれ有する一対のテープリールと、互いに対向する一対の主板で前記ハブの両端部を支持した状態で前記両テープリールを回転可能に収容するケース本体と、一対の挿通孔が形成されて当該挿通孔に前記両ハブの各端部をそれぞれ挿入させた状態で前記リール本体の両端部を挟み込むようにして前記ケース本体内に配設された一対のシート体とを備え、前記テープリールを駆動する駆動軸の挿入側とは逆側の位置に配設された前記シート体と一方の前記主板との間には、挿通孔が形成されて当該挿通孔に前記ハブの前記端部を挿入させた状態で当該シート体を介して前記両リール本体の前記端部を押圧する一対の板状の押圧部材が配設され、前記押圧部材は、前記一方の主板に形成されて前記ハブの前記端部を位置決めする環状の突起部の外周部に嵌め合わされることによって当該主板に固定可能に構成されている。
【０００８】
この場合、前記突起部の外周部に嵌め合わされる固定用の爪部を備えて前記押圧部材を構成することができる。
【０００９】
また、前記爪部を３つ備えて前記押圧部材を構成することができる。
【００１０】
また、前記リール本体の前記端部における３箇所の部位を前記シート体を介して押圧可能な３つの凸部を備えて前記押圧部材を構成することができる。
【発明の効果】
【００１１】
本発明に係る情報媒体によれば、テープリールを駆動する駆動軸の挿入側とは逆側の位置に配設されたシート体と一方の主板との間に押圧部材を配設したことにより、駆動軸の挿入側とは逆側に位置するリール本体の端部を押圧部材によって他方の主板に向けて押圧することができる。このため、駆動軸の挿入側に位置するリール本体の端部をシート体を介しての他方の主板に押し付けることができる結果、ドライブ装置の回転ヘッドに磁気テープを接触させるために磁気テープに対して比較的大きなテンションが加えられてそのテンションに起因してテープリールに対して大きなモーメントが作用したとしても、テープリールが傾く事態を確実に防止することができる。したがって、この情報媒体によれば、テープリールが傾いた状態で回転することによって磁気テープが蛇行したり偏って走行したりして、データの記録再生に支障を来したり、磁気テープのエッジ（幅方向の端部）がシート体に強く擦りつけられて磁気テープがダメージを受ける事態を確実に防止することができる。また、一方の主板に形成されている環状の突起部の外周部に嵌め合わせ可能に押圧部材を構成したことにより、突起部の外周部に押圧部材を嵌め合わせるだけで押圧部材をその主板に固定することができるため、例えば溶着によって押圧部材を固定する構成と比較して、固定作業の効率を十分に向上させることができる。また、押圧部材を予め主板に固定することで、ケース本体を組立てる際に押圧部材が外れる事態を確実に防止することができる結果、ケース本体の組立作業の効率を十分に向上させることができる。したがって、この情報媒体によれば、製造効率を十分に向上させることができる。また、突起部の外周部に嵌め合わせることで押圧部材を主板に固定しているため、主板に押圧部材をかしめて固定する構成とは異なり、押圧部材の弾性変形が妨げられることなく、押圧部材によってテープリールを確実に押圧することができる。
【００１２】
また、本発明に係る情報媒体によれば、突起部の外周部に嵌め合わされる爪部を備えて押圧部材を構成したことにより、押圧部材の外周縁部を折り曲げる簡易な加工で爪部を形成することができるため、押圧部材の製造コストを低く抑えることができる。
【００１３】
また、本発明に係る情報媒体によれば、爪部を３つ備えて押圧部材を構成したことにより、２つ以下の爪部を有する押圧部材とは異なり、リール本体の端部に対して平行またはほぼ平行となるように押圧部材を固定することができるため、シート体を介して端部を均等に押圧することができる結果、テープリールが傾く事態を一層確実に防止することができる。また、４つ以上の凸部を有する押圧部材と比較して、押圧部材の加工が容易なため、押圧部材の製造コストを一層低く抑えることができる。
【００１４】
また、本発明に係る情報媒体によれば、リール本体の端部における３箇所の部位をシート体を介して押圧可能な３つの凸部を備えて押圧部材を構成したことにより、２つ以下または４つ以上の凸部を有する押圧部材とは異なり、３つの凸部の全てがシートを介してリール本体の端部を確実に押圧するため、端部を均等に押圧することができる結果、テープリールが傾く事態をより確実に防止することができる。
【発明を実施するための最良の形態】
【００１５】
以下、本発明に係る情報媒体の最良の形態について、添付図面を参照して説明する。
【００１６】
最初に、情報媒体１の構成について、図面を参照して説明する。
【００１７】
図１〜３に示す情報媒体１は、例えば、電子計算機に記録されたデータをバックアップするためのストレージデバイスとして用いられる２リールタイプの情報媒体であって、磁気テープＴ（図２，９参照）が巻回されたテープリール２，２、ケース本体３、リールブレーキ４、シート５ａ，５ｂ（図１参照：以下、区別しないときには「シート５」ともいう）、ばね部材６，６（同図参照）、スライド部７（図１，３参照）およびリッド８を備えて構成されている。この場合、この情報媒体１では、一例として、テープ幅が８ｍｍの磁気テープＴが採用されており、この磁気テープＴに対応するように、情報媒体１を構成する各構成要素のサイズや形状が規定されている。
【００１８】
テープリール２は、図７に示すように、リール本体１１およびハブ１２を備えて構成されている。リール本体１１は、筒状に形成されて周囲に磁気テープＴを巻回可能に構成されている。また、図１に示すように、リール本体１１の外周部には、磁気テープＴの端部に取り付けられている図外のリーダーテープをリール本体１１に固定するためのクランプ１１ｂを嵌め込み可能なクランプ収納部１１ａが形成されている。ハブ１２は、図７に示すように、円筒状に形成されると共に、リール本体１１から下端部１２ａおよび上端部１２ｂが突出するようにしてリール本体１１の中心部に配設されている。また、図２，３に示すように、ハブ１２の上端部１２ｂには、リールブレーキ４の突起部４ａが係合することによってテープリール２の回転が規制される歯部１２ｃが形成されている。また、図２，９に示すように、ハブ１２の内周面には、ドライブ装置（記録再生装置）の駆動軸１０１（図９参照）と係合可能な例えば６つの係合用凸部１２ｄが形成されている。この場合、テープリール２は、同図に示すように、ハブ１２の下端部１２ａおよび上端部１２ｂが後述するケース本体３における下ケース２１の底板３１および上ケース２２の天板４１（天板４１に取り付けられたカバー４３）によって支持（位置決め）された状態でケース本体３の内部に回転可能に収容されている。なお、天板４１およびカバー４３が本発明における一方の主板に相当し、底板３１が本発明における一対の主板のうちの他方に相当する。
【００１９】
ケース本体３は、図１，３に示すように、互いに嵌合可能な下ケース２１および上ケース２２を備えて構成され、両ケース２１，２２の嵌合状態において形成される内部空間にテープリール２，２を回転可能に収容する。下ケース２１は、図４に示すように、底板３１、および底板３１の縁部に立設された側壁３２ａ〜３２ｆを備えて、全体として、浅皿状に形成されている。
【００２０】
底板３１は、前面側（図４における下側）の中央部に切り欠き部３１ａが形成されて構成されている。この場合、この切り欠き部３１ａおよび後述する上ケース２２の開口部２２ａによって磁気テープＴを引き出すための引き出し口３ａ（図３参照）が構成される。また、底板３１には、テープリール２におけるハブ１２の下端部１２ａをその縁部で支持すると共に、ドライブ装置の駆動軸１０１を挿通させるための円形の挿通孔３１ｂ，３１ｂが形成されている。また、底板３１の切り欠き部３１ａ側には、スライド部７をスライド不可状態にロックするためのアーム状のロック部３１ｃ，３１ｃが形成されている。この場合、ロック部３１ｃは、図１に示すロックスプリング９ａによってその先端部がスライド部７側に向けて押圧される。
【００２１】
上ケース２２は、図５に示すように、天板４１、および天板４１の縁部に立設された側壁４２ａ〜４２ｅを備えて、前面側（同図では下側）に開口部２２ａを有する浅皿状に形成されている。天板４１は、全体として矩形に形成されている。また、天板４１の中央部には、長円状の開口部４１ａが形成され、天板４１の内側面（同図における紙面手前側）には、磁気テープＴをケース本体３の外部から視認させるための窓として開口部４１ａを機能させる透明な（またはほぼ透明な）カバー４３が取り付けられている。この場合、カバー４３には、同図および図８に示すように、テープリール２におけるハブ１２の上端部１２ｂを支持（位置決め）する平面視環状の突起部４３ａが形成されている。
【００２２】
リールブレーキ４は、図２，３に示すように、テープリール２，２に対して接離する方向に沿ってスライド可能にケース本体３の内部に配設されると共に、図１に示すブレーキスプリング９ｃによってテープリール２，２に近接する方向に付勢されている。また、リールブレーキ４は、リッド８の回動に伴ってスライドさせられることにより、テープリール２，２の回転規制、および回転規制の解除を行う。シート５ａ，５ｂは、本発明におけるシート体に相当し、図１に示すように、テープリール２のハブ１２を挿通可能な挿通孔５１が形成されて構成されている。この場合、図９に示すように、シート５ａは、テープリール２におけるリール本体１１の下端部１１ｅと下ケース２１の底板３１との間（本発明における駆動軸の挿入側の位置）に配設され、シート５ｂは、リール本体１１の上端部１１ｃと上ケース２２の天板４１との間（本発明における駆動軸の挿入側とは逆側の位置）に配設されている。また、シート５ａ，５ｂは、テープリール２を円滑に回転動作させると共に、磁気テープＴの幅方向への移動を規制する機能を有している。
【００２３】
ばね部材６は、本発明における押圧部材に相当し、図６に示すように、本体部６１、および３本の爪部６２を備えて構成されている。本体部６１は、図６〜８に示すように、テープリール２におけるハブ１２の上端部１２ｂを挿通可能な挿通孔６１ａが中心部に形成された平面視略円形（つまり略環状）の板状体で形成されている。この場合、本体部６１は、図６に示すように、上記した板状体を曲げ加工（プレス加工）することによって形成された３つの凸部６１ｂを備えており、これらの凸部６１ｂによって厚み方向に弾性変形可能に構成されている。爪部６２は、図６，８に示すように、本体部６１における外周縁部の一部を凸部６１ｂの突出方向とは逆方向（両図６，８では下向き）に折り曲げることによって形成されている。この場合、爪部６２は、図８に示すように、カバー４３の突起部４３ａの外周部に嵌め合わされることによって本体部６１（ばね部材６）をカバー４３（上ケース２２）に固定する機能を有している。
【００２４】
ここで、ばね部材６は、上記したように爪部６２をカバー４３の突起部４３ａに嵌め合わせることによってカバー４３に固定されており（図５，９参照）、情報媒体１が組み立てられた状態において、図９に示すように、テープリール２におけるリール本体１１の上端部１１ｃ側（本発明における一方の端部側）に配設されたシート５ｂと上ケース２２の天板４１（カバー４３）との間の隙間に配設される。また、ばね部材６は、情報媒体１が組み立てられた状態において、図７に示すように、挿通孔６１ａにハブ１２の上端部１２ｂを挿入させた状態でシート５ｂを介してリール本体１１における上端部１１ｃの端面１１ｄにおける３箇所の部位（例えば、同図に示すＰ１〜Ｐ３の部位）を３つの凸部６１ｂで下端部１１ｅ（つまり下ケース２１の底板３１）に向けて押圧する。
【００２５】
スライド部７は、図３に示すように、下ケース２１の外側にスライド可能に取り付けられている。また、スライド部７は、図１に示すスライダースプリング９ｂによって下ケース２１の切り欠き部３１ａ側に付勢されている。リッド８は、図３に示すように、ケース本体３（上ケース２２）の前面側（同図における左側）に回動可能に取り付けられて、ドライブ装置によって回動させられることにより、上ケース２２の開口部２２ａ（ケース本体３の引き出し口３ａ）を開閉する。また、リッド８は、図１に示すリッドスプリング９ｄによって開口部２２ａを閉塞する向きに付勢されている。
【００２６】
次に、情報媒体１の製造方法の一例について、図面を参照して説明する。
【００２７】
まず、図１に示すように、下ケース２１の外側にスライド部７を取り付ける。次いで、スライダースプリング９ｂの一端部をスライド部７に係合させて、ケース本体３の下ケース２１にスライダースプリング９ｂを取り付ける。続いて、同図に示すように、下ケース２１における底板３１の内側にシート５ａを載置して、その上に磁気テープＴを巻回したテープリール２，２（同図では磁気テープＴの図示を省略している）を載置する。次いで、テープリール２，２の上に更にシート５ｂを載置する。
【００２８】
次に、図５に示すように、上ケース２２の天板４１に予め取り付けられているカバー４３にばね部材６を固定する。具体的には、図８に示すように、カバー４３における突起部４３ａの外周部に爪部６２を位置させて、ばね部材６（本体部６１）をカバー４３に向けて（同図に示す矢印Ａの方向に）押し込む。これにより、突起部４３ａの外周部に爪部６２が嵌め合わされて、ばね部材６がカバー４３（カバー４３が取り付けられている天板４１）に固定される。この場合、突起部４３ａの外周部に爪部６２を嵌め合わせるだけでばね部材６がカバー４３に固定されるため、例えば溶着によってばね部材６を固定する構成と比較して、固定作業の効率が十分に向上されている。
【００２９】
次いで、カバー４３にロックスプリング９ａを取り付ける。続いて、上ケース２２にブレーキスプリング９ｃを嵌め込む。次いで、ブレーキスプリング９ｃの一端部をリールブレーキ４に係合させて、リールブレーキ４を上ケース２２にセットする。続いて、リッドスプリング９ｄを取り付けたリッド８を上ケース２２の前面側に組み付ける。次いで、下ケース２１における各側壁３２ａ〜３２ｅの先端面と、上ケース２２における各側壁４２ａ〜４２ｅの先端面とがそれぞれ対向するようにして、図３に示すように、下ケース２１と上ケース２２とを嵌合させる。この際に、ばね部材６における本体部６１の挿通孔６１ａにテープリール２におけるハブ１２の上端部１２ｂが挿通されて、ばね部材６がシート５ｂと上ケース２２の天板４１（カバー４３）との間に配設される。この場合、ばね部材６が天板４１に取り付けられたカバー４３に固定されているため、両ケース２１，２２を嵌合させるだけで、ばね部材６が正確に配設される。また、ばね部材６がカバー４３に固定されているため、両ケース２１，２２を嵌合させる際に、ばね部材６が外れる事態が確実に防止される。したがって、両ケース２１，２２の嵌合作業の効率を十分に向上させることが可能となる。次いで、両ケース２１，２２をねじ止めする。以上により、情報媒体１が完成する。
【００３０】
次に、情報媒体１を用いたデータの記録再生方法について、図面を参照して説明する。
【００３１】
この情報媒体１が図外のドライブ装置から取り出されている状態、つまり非使用時においては、図３に示すように、リールブレーキ４が、ブレーキスプリング９ｃの付勢力によってテープリール２，２に近接している。このため、リールブレーキ４の突起部４ａ，４ａがテープリール２，２の歯部１２ｃにそれぞれ係合して、テープリール２，２の回転が規制されている。また、同図に示すように、リッド８が、リッドスプリング９ｄによって付勢されて、ケース本体３における上ケース２２の開口部２２ａを閉塞している。また、スライド部７が、下ケース２１における底板３１の切り欠き部３１ａ側に位置して、底板３１の挿通孔３１ｂ，２１ｂおよび切り欠き部３１ａを閉塞している。
【００３２】
一方、情報媒体１がドライブ装置の挿入口に挿入されたときには、ドライブ装置が情報媒体１を内部に引き込む。この際に、下ケース２１のロック部３１ｃ，３１ｃの先端部が上方向に押し上げられて、スライド部７のスライド不可状態が解除される。次いで、スライド部７が、下ケース２１の側壁３２ａ（図３参照）側にスライドさせられて、下ケース２１の挿通孔３１ｂおよび切り欠き部３１ａが開口される。続いて、ドライブ装置が駆動軸１０１の先端部に向けて情報媒体１を移動させる。この際に、図９に示すように、駆動軸１０１が挿通孔３１ｂを通ってテープリール２におけるハブ１２の中心部に挿入されて、ハブ１２の内周面に形成されている係合用凸部１２ｄと駆動軸１０１とが係合する。この場合、この情報媒体１では、上記したように、テープ幅が８ｍｍの磁気テープＴが採用されており、テープ幅が４ｍｍの磁気テープＴを採用した従来の情報媒体と比較して、テープリール２におけるリール本体１１やハブ１２が長く（厚く）形成されている。このため、同図に示すように、駆動軸１０１の先端部がハブ１２の下端部１２ａからハブ１２の全長の１／３程度の位置まで到達した状態で駆動軸１０１の挿入（情報媒体１の移動）が停止される。
【００３３】
また、ドライブ装置が駆動軸１０１の先端部に向けて情報媒体１を下方に移動させたときに、ドライブ装置が、リッドスプリング９ｄの付勢力に抗してリッド８を回動させることにより、図９に示すように、上ケース２２の開口部２２ａが開口される。また、リッド８の回動に伴ってリールブレーキ４が開口部２２ａ側に移動させられることにより、テープリール２，２の歯部１２ｃとリールブレーキ４の突起部４ａ，４ａとの係合が解除されて、テープリール２，２の回転の規制が解除される。次いで、図１０に示すように、ドライブ装置がガイドローラ１０３およびガイドピン１０４を移動させることにより、回転ヘッド１０２の全外周面のうちの１／２程度の部分に磁気テープＴを接触させる。次いで、ドライブ装置は、回転ヘッド１０２を回転させると共に駆動軸１０１を回転させて、データの読み出しや書き込みを開始する。この際に、テープリール２，２が回転させられて、磁気テープＴが一方のテープリール２から同図に示す経路を通って他方のテープリール２に巻き取られる。
【００３４】
この場合、ばね部材６によってテープリール２のリール本体１１における上端部１１ｃの端面１１ｄが下ケース２１の底板３１に向けて押圧されているため、図９に示すように、下端部１１ｅの端面１１ｆがシート５ａを介して下ケース２１の底板３１に押し付けられている。このため、回転ヘッド１０２に磁気テープＴを接触させるために磁気テープＴに対して比較的大きなテンションが加えられてそのテンションに起因してリール本体１１（テープリール２）に対して大きなモーメントが作用したとしても、テープリール２の傾きが確実に防止されている。このため、テープリール２が傾いた状態で回転することによってテープが蛇行したり偏って走行したりして、データの記録再生に支障を来す事態が確実に防止される。また、ばね部材６がケース本体３の天板４１（カバー４３）に固定されているため、テープリール２の回転に伴う振動等によってハブ１２の上端部１２ｂからばね部材６が外れて、磁気テープＴと接触する事態が確実に防止される。また、この情報媒体１では、カバー４３の突起部４３ａに爪部６２を嵌め合わせることでばね部材６をカバー４３に固定している。このため、カバー４３にばね部材６をかしめて固定する構成とは異なり、ばね部材６（本体部６１）の弾性変形が妨げられることなく、ばね部材６によってテープリール２が確実に押圧される。
【００３５】
次に、データの読み出しや書き込みが終了した際には、ドライブ装置が、駆動軸１０１の先端部から情報媒体１を離間させる。続いて、ドライブ装置がリッド８を回動させることにより、リッド８によって上ケース２２の開口部２２ａが閉塞される。また、リッド８の回動に伴い、リールブレーキ４がブレーキスプリング９ｃの付勢力によってテープリール２側に移動させられて、テープリール２，２の歯部１２ｃとリールブレーキ４の突起部４ａ，４ａとが係合して、テープリール２，２の回転が規制される。次いで、ドライブ装置が、挿入口の外側に向けて情報媒体１を押し出す。この際に、図３に示すように、スライド部７が、下ケース２１における底板３１の切り欠き部３１ａ側にスライドさせられて、切り欠き部３１ａおよび挿通孔３１ｂ，２１ｂが閉塞される。これにより、情報媒体１がドライブ装置の挿入口から取り出し可能な状態となる。
【００３６】
このように、この情報媒体１によれば、シート５ｂとケース本体３における上ケース２２の天板４１との間にばね部材６を配設したことにより、ばね部材６によってテープリール２のリール本体１１における上端部１１ｃの端面１１ｄを下ケース２１の底板３１に向けて押圧することができる。このため、下端部１１ｅの端面１１ｆをシート５ａを介して下ケース２１の底板３１に押し付けることができる結果、ドライブ装置の回転ヘッド１０２に磁気テープＴを接触させるために磁気テープＴに対して比較的大きなテンションが加えられてそのテンションに起因してテープリール２に対して大きなモーメントが作用したとしても、テープリール２が傾く事態を確実に防止することができる。したがって、この情報媒体１によれば、テープリール２が傾いた状態で回転することによって磁気テープＴが蛇行したり偏って走行したりして、データの記録再生に支障を来したり、磁気テープＴのエッジ（幅方向の端部）がシート５に強く擦りつけられて磁気テープＴがダメージを受ける事態を確実に防止することができる。
【００３７】
また、天板４１に取り付けられたカバー４３に形成されている突起部４３ａの外周部に嵌め合わせ可能にばね部材６を構成したことにより、突起部４３ａの外周部にばね部材６を嵌め合わせるだけでばね部材６をカバー４３に固定することができるため、例えば溶着によってばね部材６を固定する構成と比較して、固定作業の効率を十分に向上させることができる。また、ばね部材６を予めカバー４３に固定することで、下ケース２１と上ケース２２とを嵌合させる際に、ばね部材６が外れる事態を確実に防止することができる結果、両ケース２１，２２の嵌合作業の効率を十分に向上させることができる。したがって、この情報媒体１によれば、製造効率を十分に向上させることができる。また、突起部４３ａの外周部に嵌め合わせることでばね部材６をカバー４３に固定しているため、カバー４３にばね部材６をかしめて固定する構成とは異なり、ばね部材６の弾性変形が妨げられることなく、ばね部材６によってテープリール２を確実に押圧することができる。
【００３８】
また、この情報媒体１によれば、突起部４３ａの外周部に嵌め合わされる爪部６２を備えてばね部材６を構成したことにより、ばね部材６における本体部６１の外周縁部を折り曲げる簡易な加工で爪部６２を形成することができるため、ばね部材６の製造コストを低く抑えることができる。
【００３９】
また、この情報媒体１によれば、３つの爪部６２を備えてばね部材６を構成したことにより、２つ以下の爪部６２を有するばね部材とは異なり、カバー４３に対して、つまりテープリール２のリール本体１１における上端部１１ｃの端面１１ｄに対して本体部６１が平行またはほぼ平行となるようにばね部材６を固定することができるため、シート５ｂを介して端面１１ｄを均等に押圧することができる結果、テープリール２が傾く事態を一層確実に防止することができる。また、４つ以上の爪部６２を有するばね部材と比較して、ばね部材６の加工が容易なため、ばね部材６の製造コストを一層低く抑えることができる。
【００４０】
また、この情報媒体１によれば、リール本体１１の上端部１１ｃにおける３箇所の部位を押圧可能な３つの凸部６１ｂを備えてばね部材６を構成したことにより、２つ以下または４つ以上の凸部を有するばね部材とは異なり、３つの凸部６１ｂの全てがシート５ｂを介して端面１１ｄを確実に押圧するため、端面１１ｄを均等に押圧することができる結果、テープリール２が傾く事態をより確実に防止することができる。
【００４１】
なお、本発明は上記の構成に限定されない。例えば、爪部６２を備えてばね部材６を構成した例について上記したが、図１１に示すように、爪部６２を備えていないばね部材３０６を採用することもできる。この場合、ばね部材３０６は、同図に示すように、テープリール２におけるハブ１２の上端部１２ｂを挿通可能な挿通孔３６１ａが中心部に形成された平面視略円形（つまり略環状）の板状体を波状に湾曲させた形状（波座金（ウェイブワッシャ）状）に形成されて、厚み方向に弾性変形可能に構成されている。この場合、挿通孔３６１ａの直径は、カバー４３の突起部４３ａにおける外周部の外径とほぼ同じ長さに規定されている。
【００４２】
このばね部材３０６をカバー４３に固定する際には、図１２に示すように、挿通孔３６１ａの縁部をカバー４３における突起部４３ａの外周部に位置させて、ばね部材３０６をカバー４３に向けて（同図に示す矢印Ａの方向に）押し込む。これにより、突起部４３ａの外周部に挿通孔３６１ａの縁部が嵌め合わされて、ばね部材３０６がカバー４３（カバー４３が取り付けられている天板４１）に固定される。このばね部材３０６においても、突起部４３ａの外周部に挿通孔３６１ａの縁部を嵌め合わせるだけで、ばね部材３０６をカバー４３に固定することができる。したがって、このばね部材３０６を備えた情報媒体においても、ばね部材３０６の固定作業および下ケース２１と上ケース２２との嵌合作業、ひいては情報媒体の製造効率を十分に向上させることができる。
【００４３】
また、図１３に示すように、上記したばね部材３０６における挿通孔３６１ａの縁部に相当する挿通孔４６１ａの縁部を折り曲げて構成したばね部材４０６を採用することもできる。このばね部材４０６では、同図に示すように、カバー４３における突起部４３ａの外周部に挿通孔４６１ａの縁部を嵌め合わせる際に、挿通孔４６１ａの縁部のバリによって突起部４３ａの外周部が削り取られて、削り屑がケース本体３内に飛散する事態を防止することができる。
【００４４】
また、電子計算機に記録されたデータのバックアップに用いられる情報媒体１に本発明を適用した例について上記したが、画像データの記録に用いられる情報媒体や、音声データの記録に用いられる情報媒体等の各種の情報媒体に本発明を適用することができる。
【図面の簡単な説明】
【００４５】
【図１】情報媒体１の分解斜視図である。
【図２】情報媒体１の平面図である。
【図３】情報媒体１の側面図である。
【図４】下ケース２１の内面側から見た平面図である。
【図５】上ケース２２の内面側から見た平面図である。
【図６】ばね部材６の斜視図である。
【図７】配設状態におけるテープリール２、シート５ｂおよびばね部材６の側面図である。
【図８】ばね部材６をカバー４３に取り付ける方法を説明する説明図である。
【図９】情報媒体１の断面図である。
【図１０】情報媒体１における磁気テープを回転ヘッド１０２に接触させた状態を説明するための説明図である。
【図１１】ばね部材３０６の側面図である。
【図１２】ばね部材３０６をカバー４３に取り付ける方法を説明する説明図である。
【図１３】ばね部材４０６をカバー４３に取り付ける方法を説明する説明図である。
【図１４】従来の情報媒体（テープカートリッジ２０１）の断面図である。
【図１５】従来の情報媒体（テープカートリッジ２０１）における磁気テープＴを回転ヘッド１０２に接触させた状態を説明するための説明図である。
【図１６】磁気テープの幅を拡大した従来の情報媒体（テープカートリッジ２０２）の断面図である。
【符号の説明】
【００４６】
１  情報媒体
２  テープリール
３  ケース本体
５ａ，５ｂ  シート
６，３０６，４０６  ばね部材
１１  リール本体
１１ｃ，１２ｂ  上端部
１１ｅ，１２ａ  下端部
１２  ハブ
３１  底板
４１  天板
５１，６１ａ，３６１ａ，４６１ａ  挿通孔
６１ｂ  凸部
６２  爪部
Ｔ  磁気テープ
【図１】
2008186492.tif 000003
【図２】
2008186492.tif 000004
【図３】
2008186492.tif 000005
【図４】
2008186492.tif 000006
【図５】
2008186492.tif 000007
【図６】
2008186492.tif 000008
【図７】
2008186492.tif 000009
【図８】
2008186492.tif 000010
【図９】
2008186492.tif 000011
【図１０】
2008186492.tif 000012
【図１１】
2008186492.tif 000013
【図１２】
2008186492.tif 000014
【図１３】
2008186492.tif 000015
【図１４】
2008186492.tif 000016
【図１５】
2008186492.tif 000017
【図１６】
2008186492.tif 000018